(57)【要約】【課題】節水装置の装備を外部より確認可能とすること。洗浄効果を高めること。【解決手段】一側部に形成した第1開口１１と他側部に形成した第２開口１２とを連通する貫通節水孔１４を形成した筒状の節水体ブロック１０と；管体を貫通自在とする中心孔１７と、内面に前記外周ねじ１５と螺合する内周ねじ１８を有する第３開口部１９を形成した取付ナット１６とより構成する、節水型フラッシュバルブ用の節水装置。本願第２考案は、前記節水体ブロックに、第1開口１１と第２開口１２とを連通し且つ入口側の小径部Ｐと出口側の大径部Ｑとの二段形状の貫通節水孔２０を形成し、該貫通節水孔２０における大径部Ｑの小径部Ｐ寄りの箇所に先端開口をのぞませ外周面に開口する通気孔２１を設けたことを特徴とする。【選択図】図１
0003115253.tif 000002
【実用新案登録請求の範囲】
【請求項１】
内周ねじ１３を有する第1開口１１を一側部に形成し、他側部に外周ねじ１５を有する第２開口１２を形成し、第1開口１１と第２開口１２とを連通する貫通節水孔１４を形成した筒状の節水体ブロック１０と、
管体を貫通自在とする中心孔１７と、内面に前記外周ねじ１５と螺合する内周ねじ１８を有する第３開口部１９を形成した取付ナット１６と、
より構成したことを特徴とする節水型フラッシュバルブ用の節水装置。
【請求項２】
フラッシュバルブ４の管体8と螺合する内周ねじ１３を有する第1開口１１を一側部に形成し、他側部に外周ねじ１５を有する第２開口１２を形成し、第1開口１１と第２開口１２とを連通する貫通節水孔１４を形成し、
第１開口１１は吐水口8と遊合自在であり、第２開口１２は吐水管５と遊合自在である筒状の節水体ブロック１０と、
管体５を貫通自在とする中心孔１７と、内面に前記外周ねじ１５と螺合する内周ねじ１８を有する第３開口部１９とを形成した取付ナット１６と、
より構成した節水型フラッシュバルブ用の節水装置を設け、
前記節水装置をフラッシュバルブ４のユニオン継手部と組合わせて装備したことを特徴とする節水型フラッシュバルブ。
【請求項３】
前記節水装置Aを、フラッシュバルブ４の吐水口8と吐水管5とのユニオン継手部と組合わせて装備したことを特徴とする請求項２に記載する節水型フラッシュバルブ。
【請求項４】
前記節水装置Aを、フラッシュバルブ４と止水栓２との間のユニオン継手部と組合わせて装備したことを特徴とする請求項２に記載する節水型フラッシュバルブ。
【請求項５】
内周ねじ１３を有する第1開口１１を一側部に形成し、他側部に外周ねじ１５を有する第２開口１２を形成し、第1開口１１と第２開口１２とを連通し且つ入口側を小径部Ｐとし出口側を大径部Ｑとする二段形状の貫通節水孔２０を形成し、該貫通節水孔２０における大径部Ｑの小径部Ｐ寄りの箇所に先端開口をのぞませ外周面に開口する通気孔２１を設けた筒状の節水体ブロック１０Ａ、
管体を貫通自在とする中心孔１７と、内面に前記外周ねじ１５と螺合する内周ねじ１８を有する第３開口部１９を形成した取付ナット１６と、
より構成したことを特徴とする節水型フラッシュバルブ用の節水装置。
【請求項６】
フラッシュバルブ４の管体8と螺合する内周ねじ１３を有する第1開口１１を一側部に形成し、他側部に外周ねじ１５を有する第２開口１２を形成し、第1開口１１と第２開口１２とを連通し且つ入口側よりも出口側を大径とする小径部と大径部との二段形状の貫通節水孔を形成し、該貫通節水孔における大径部の小径部寄りの箇所に先端開口をのぞませ外周面に開口する通気孔を設けた貫通節水孔を形成し、
第１開口１１は管体8と遊合自在であり、第２開口１２は吐水管５と遊合自在である筒状の節水体ブロック１０Ａと、
吐水管５を貫通自在とする中心孔１７と、内面に前記外周ねじ１５と螺合する内周ねじ１８を有する第３開口部１９とを形成し、取付ナット１６と、
より構成した節水型フラッシュバルブ用の節水装置Ｂを設け、
前記節水装置をフラッシュバルブ４のユニオン継手部と組合わせて装備したことを特徴とする節水型フラッシュバルブ。
【請求項７】
前記節水装置Ｂを、フラッシュバルブ４の吐水口8と吐水管5とのユニオン継手部と組合わせて装備したことを特徴とする請求項２に記載する節水型フラッシュバルブ。
【請求項８】
前記節水装置Ｂを、フラッシュバルブ４と止水栓との間のユニオン継手部と組合わせて装備したことを特徴とする請求項２に記載する節水型フラッシュバルブ。
【考案の詳細な説明】
【技術分野】
【０００１】
本願考案は、フラッシュバルブ式トイレにおける節水装置に関するものである。
【背景技術】
【０００２】
上記の節水装置に関して、特開平９―６０７４９号公開特許公報（特許文献１）には、節水コマを通水管に内装する技術が開示されている。
【０００３】
【特許文献１】特開平９―６０７４９号公開特許公報
【考案の開示】
【考案が解決しようとする課題】
【０００４】
前記の公知技術においては、節水コマに外つば部を形成して通水管ないに装備しているが次の問題点がある。
ａ.節水コマの設置時にがたつきが生じやすく、主弁装置との間に隙間が存在する。そのため、長年使用するには、節水コマが外れたり、腐食するなど、問題が生じやすい問題点がある。ｂ.上記の隙間を埋めるようなパッキンを装着したものも販売されているが、パッキンの劣化により隙間が生じやすく、さらに、腐食したパッキンのかけらが、衛生器具(主弁装置)に詰まる恐れがある。ｃ.節水コマは遊動する場合があり、パッキンなどの節水コマ外周部に取付けるなどして使用しているが、確実でない。常時安定した節水が不可能である。ｄ.外見からでは、節水コマの装備が不明である。
本考案は、上記の問題点を解消することを課題とする。
【課題を解決するための手段】
【０００５】
本願第１考案(請求項1ないし４)は、内周ねじ１３を有する第1開口１１を一側部に形成し、他側部に外周ねじ１５を有する第２開口１２を形成し、第1開口１１と第２開口１２とを連通する貫通節水孔１４を形成した筒状の節水体ブロック１０と；
管体を貫通自在とする中心孔１７と、内面に前記外周ねじ１５と螺合する内周ねじ１８を有する第３開口部１９を形成した取付ナット１６とより構成した、節水型フラッシュバルブ用の節水装置を特徴とする。
【０００６】
本願第２考案(請求項５ないし８)は、内周ねじ１３を有する第1開口１１を一側部に形成し、他側部に外周ねじ１５を有する第２開口１２を形成し、第1開口１１と第２開口１２とを連通し且つ入口側の小径部Ｐと出口側の大径部Ｑとの二段形状の貫通節水孔２０を形成し、該貫通節水孔２０における大径部Ｑの小径部Ｐ寄りの箇所に先端開口をのぞませ外周面に開口する通気孔２１を設けた筒状の節水体ブロック１０Ａと、管体を貫通自在とする中心孔１７と、内面に前記外周ねじ１５と螺合する内周ねじ１８を有する第３開口部１９を形成した取付ナット１６と、より構成した、節水型フラッシュバルブ用の節水装置を特徴とする。
【０００７】
〔考案の作用〕
本願第１考案(請求項1ないし４)は、筒状の節水体ブロック１０と取付ナット１６との螺合により、節水装置をフラッシュバルブに装備する。節水体ブロック１０の貫通節水孔１４は通過水を制限して、従来の節水コマと同様の節水効果を生じる。
【０００８】
本願第２考案(請求項５ないし８)は、貫通節水孔２０における大径部Ｑの小径部Ｐ寄りの箇所に通気孔２１よりの外気を取込むことで負圧現象を発生させて、フラッシュバルブよりの吐水は、気泡を含むシャワー(泡沫状の吐水)となって放出される。
【考案の効果】
【０００９】
本願第1考案は、ナットで固定して設置することで確実な施工ができるとともに、節水装置の装備を外部より確認できる効果を有する。
本願第２考案は、外部から空気を混入することで泡沫状の吐水が供給されることで、トイレの洗浄効果を高める効果を有する。また、通気孔を介して洗浄液・香り液・微粒物の流入、混入ができて、消臭・除菌・洗浄効果を高めることができる効果を有する。
【考案を実施するための最良の形態】
【００１０】
本願第１考案は、フラッシュバルブ４の管体(吐出口)8と螺合する内周ねじ(ユニオン継手のユニオンねじに相当する)１３を有する第1開口１１を一側部に形成し、他側部に外周ねじ１５を有する第２開口１２を形成し、第1開口１１と第２開口１２とを連通する貫通節水孔を形成し、第１開口１１は管体(吐水口)8と遊合自在であり、第２開口１２は吐水管５と遊合自在である筒状の節水体ブロック１０と、吐水管５を貫通自在とする中心孔１７と、内面に前記外周ねじ(ユニオン継手のユニオンナットのねじ部に相当する)１５と螺合する内周ねじ１８を有する第３開口部１９とを形成し、周面に回動操作用平面２９を形成した、取付ナット１６と、より構成した節水型フラッシュバルブ用の節水装置を設ける。前記節水装置をフラッシュバルブ４のユニオン継手部に替えて装備する。
【００１１】
本願第２考案は、前記の本願第１考案に加えて、筒状の前記節水体ブロック１０Ａに形成する貫通節水孔を、入口側の小径部Ｐと出口側の大径部Ｑとの二段形状の貫通節水孔２０とするとともに、該貫通節水孔２０における大径部Ｑの小径部Ｐ寄りの箇所に先端開口をのぞませ外周面に開口する通気孔２１を設ける。
【実施例】
【００１２】
本願考案の実施例の説明に先だって、図８を参照して、フラッシュバルブ式トイレの給水機構を説明する。  
【００１３】
1は給水管、2は止水栓、３はフラッシュバルブ４の上流側のユニオン継手、４はフラッシュバルブ、5は吐水管、6はフラッシュバルブ４の下流側のユニオン継手である。
【００１４】
フラッシュバルブ4は、弁ケース内に主弁とパイロット弁とこのパイロット弁に連結されたステムとが収納され、弁ケースの横側部に揺動可能に支持されたハンドル７を中立位置から揺動させることによりパイロット弁を開弁させ、主弁の給水側と吐水側との差圧により主弁を開弁させて、給水側から吐水側に水を流すように構成されている。
【００１５】
本願第１考案の節水型フラッシュバルブは、上記のフラッシュバルブ４において、フラッシュバルブ４の下流側のユニオン継手(吐水口8と吐水管5との間を接続する)ユニオン継手６、またはフラッシュバルブ４の上流側のユニオン継手(止水栓２とフラッシュバルブ４の流入口とを接続する)３に替えて、図1ないし図３に示す節水装置Aを装備することで、ユニオン継手の一部として利用して、ユニオン継手と組合わせることで装備する。
【００１６】
節水体ブロック１０には、第１開口１１を一側部に形成して、フラッシュバルブ４の管体(二次側の吐水口)8の外周ねじ部(ユニオンねじ)９と第１開口１１の内周ねじ部１３との螺合により、フラッシュバルブ４の吐水口8と連結自在とする。他側部に、第２開口１２を形成して、吐水管5と連結自在とする。
【００１７】
第１開口１1と第２開口１２とを連通する貫通節水孔１４を、１個/または複数個形成する。
【００１８】
第２開口１２に対して外周面には、外周ねじ部１５が形成されている。
【００１９】
取付ナット(ユニオンナット)１６は、その第３開口１９に形成した内周ねじ部１８を有し、該内周ねじ部１８を、節水体ブロック１１の外周ねじ部１５と螺合自在とする。
【００２０】
本願考案の節水型フラッシュバルブＡの装備にあたっては、フラッシュバルブ４の下流側のユニオンねじ(吐水管5の外周面に形成された外周ねじ)9［またはフラッシュバルブ４の上流側のユニオンねじ(止水栓２の流出口の管体の外周面に形成された外周ねじ)9］に、節水体ブロック１０の第１開口１１を回動させることで、外周ねじ部(ユニオンねじ)９と第１開口１１の内周ねじ部１３との螺合させ、フラッシュバルブ４の吐水口8(または止水栓２)に、節水体ブロック１０を連結固定する。
【００２１】
吐水管５(またはフラッシュバルブ４の上流側の流入部)に、取付ナット(ユニオンナット)１６の中心孔１７を挿入したのち、節水体ブロック１１の第２開口１２内に吐水管５の先端部を位置させ、取付ナット(ユニオンナット)１６を回動ざせることにより、取付ナット(ユニオンナット)１６の内周ねじ部１８を、節水体ブロック１０Ａの外周ねじ部１５と螺合すこことにより、取付ナット(ユニオンナット)１６を介して、節水体ブロック１０Ａを、吐水管5に連結固定する。
【００２２】
上記の取付作業に際しては、パッキン２７、２８を介在させて、各部品間を密着させ一体化する。
【００２３】
本考案の、節水体ブロック１０は、中心部/または適宜の箇所に１個の貫通節水孔１４(または図３に示すごとく、環状配置の複数個)が存在することで、通過水量は制限されることとなる。
【００２４】
つぎに、図４ないし図７を参照して、本願第２考案の節水型フラッシュバルブＢを説明する。
【００２５】
本願第２考案は、前記の本願第１考案に加えて、筒状の節水体ブロック１０Ａに形成する貫通節水孔を、入口側の小径部Ｐと出口側の大径部Ｑとの二段形状の貫通節水孔２０とするとともに、該貫通節水孔２０における大径部Ｑの小径部Ｐ寄りの箇所に先端開口をのぞませ外周面に開口する通気孔２１を設ける。
【００２６】
実施例においては、第２節水体ブロック２２を、節水体ブロック１０Ａと取付ナット１６との間に介在させることで、環状の内室２３、第２外気連通孔２４を形成している。
【００２７】
第２節水体ブロック２２と節水体ブロック１０Ａとを、節水体ブロック１０Ａの周ねじ２５と第２節水体ブロック２２の中心孔30の内周ねじ２６との螺合による連結構造としている。第２節水体ブロック２２と節水体ブロック１０との連結状態では、節水体ブロック２２の吐出管５側の外周面３１と、第２節水体ブロック２２の中心孔30に対向する内周面３２との間に間隙を形成し、該間隙に吐出管５の先端部を挿入自在とする。
【００２８】
節水体ブロック１０Ａ、第２節水体ブロック２２および取付ナット１６取付作業に際しては、第1考案の節水装置Ａと同様に、パッキン２７、２８を介在させて、各部品間を密着させ一体化する。また、パッキン２７ａおよび円板３３の装備も可能である。
【００２９】
本願第２考案は、入口側の小径部Ｐと出口側の大径部Ｑとの二段形状の貫通節水孔２０により負圧部を形成し、該負圧部に通気孔２１(実施例では、さらに環状の内室２３、第２外気連通孔２４を含む)を通して、外部から空気を混入することで、吐水管５から泡沫状の吐水が供給される。
【００３０】
吐水口より噴射される時に生じる負圧の発生を抑え、空気の抵抗を抑えることにより、効率の良い勢いの強いシャワーになる。しかも、空気が混じった水になるため、ただ強いわけではなく、水はねの少ない且つむ勢いの強い、今までにないシャワー洗浄を実現する。さらに、吐水切替を設ける場合には、通常シャワーから、超高速噴射口からの噴射のみを可能とする。
【図面の簡単な説明】
【００３１】
【図１】本願第１考案の実施例を示す、節水型フラッシュバルブの節水装置の一部縦断した正面図。
【図２】同じく一部縦断面した分解正面図。
【図３】図２のS1-S１線による断面図。
【図４】本願第2考案の実施例を示す、節水型フラッシュバルブの節水装置の一部縦断した正面図。
【図５】同じく一部縦断した分解正面図。
【図６】図５のS２-S２線による断面図。
【図７】図５のS３-S３線による断面図。
【図８】フラッシュバルブ式トイレの給水機構の略図。
【符号の説明】
【００３２】
１  給水管
２  止水栓、
４  フラッシュバルブ、
５  吐水管、
８  管体(吐出口)
１０  節水体ブロック
１１  第1開口
１２  第２開口
１４  貫通節水孔
１６  取付ナット
１７  中心孔
１９  第３開口
２０  貫通節水孔
２１  通気孔
Ｐ  小径部
Ｑ  大径部
【図１】
0003115253.tif 000003
【図２】
0003115253.tif 000004
【図３】
0003115253.tif 000005
【図４】
0003115253.tif 000006
【図５】
0003115253.tif 000007
【図６】
0003115253.tif 000008
【図７】
0003115253.tif 000009
【図８】
0003115253.tif 000010
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
内周ねじ１３を有する第1開口１１を一側部に形成し、他側部に外周ねじ１５を有する第２開口１２を形成し、第1開口１１と第２開口１２とを連通する貫通節水孔１４を形成した筒状の節水体ブロック１０と、
管体を貫通自在とする中心孔１７と、内面に前記外周ねじ１５と螺合する内周ねじ１８を有する第３開口部１９を形成した取付ナット１６と、
より構成したことを特徴とする節水型フラッシュバルブ用の節水装置。
【請求項２】
フラッシュバルブ４の管体8と螺合する内周ねじ１３を有する第1開口１１を一側部に形成し、他側部に外周ねじ１５を有する第２開口１２を形成し、第1開口１１と第２開口１２とを連通する貫通節水孔１４を形成し、
第１開口１１は吐水口8と遊合自在であり、第２開口１２は吐水管５と遊合自在である筒状の節水体ブロック１０と、
管体５を貫通自在とする中心孔１７と、内面に前記外周ねじ１５と螺合する内周ねじ１８を有する第３開口部１９とを形成した取付ナット１６と、
より構成した節水型フラッシュバルブ用の節水装置を設け、
前記節水装置をフラッシュバルブ４のユニオン継手部と組合わせて装備したことを特徴とする節水型フラッシュバルブ。
【請求項３】
前記節水装置を、フラッシュバルブ４の吐水口8と吐水管5とのユニオン継手部と組合わせて装備したことを特徴とする請求項２に記載する節水型フラッシュバルブ。
【請求項４】
前記節水装置を、フラッシュバルブ４と止水栓２との間のユニオン継手部と組合わせて装備したことを特徴とする請求項２に記載する節水型フラッシュバルブ。
【請求項５】
内周ねじ１３を有する第1開口１１を一側部に形成し、他側部に外周ねじ１５を有する第２開口１２を形成し、第1開口１１と第２開口１２とを連通し且つ入口側を小径部Ｐとし出口側を大径部Ｑとする二段形状の貫通節水孔２０を形成し、該貫通節水孔２０における大径部Ｑの小径部Ｐ寄りの箇所に先端開口をのぞませ外周面に開口する通気孔２１を設けた筒状の節水体ブロック１０Ａ、
管体を貫通自在とする中心孔１７と、内面に前記外周ねじ１５と螺合する内周ねじ１８を有する第３開口部１９を形成した取付ナット１６と、
より構成したことを特徴とする節水型フラッシュバルブ用の節水装置。
【請求項６】
フラッシュバルブ４の管体8と螺合する内周ねじ１３を有する第1開口１１を一側部に形成し、他側部に外周ねじ１５を有する第２開口１２を形成し、第1開口１１と第２開口１２とを連通し且つ入口側よりも出口側を大径とする小径部と大径部との二段形状の貫通節水孔を形成し、該貫通節水孔における大径部の小径部寄りの箇所に先端開口をのぞませ外周面に開口する通気孔を設けた貫通節水孔を形成し、
第１開口１１は管体8と遊合自在であり、第２開口１２は吐水管５と遊合自在である筒状の節水体ブロック１０Ａと、
吐水管５を貫通自在とする中心孔１７と、内面に前記外周ねじ１５と螺合する内周ねじ１８を有する第３開口部１９とを形成し、取付ナット１６と、
より構成した節水型フラッシュバルブ用の節水装置Ｂを設け、
前記節水装置をフラッシュバルブ４のユニオン継手部と組合わせて装備したことを特徴とする節水型フラッシュバルブ。
【請求項７】
前記節水装置を、フラッシュバルブ４の吐水口8と吐水管5とのユニオン継手部と組合わせて装備したことを特徴とする請求項２に記載する節水型フラッシュバルブ。
【請求項８】
前記節水装置を、フラッシュバルブ４と止水栓との間のユニオン継手部と組合わせて装備したことを特徴とする請求項２に記載する節水型フラッシュバルブ。